(57)【要約】【課題】ホールドオーバーが生じた場合、マルチパス等による影響が低減された発振器の自走発振用の制御信号データを求めることができ、精度の良い基準信号を生成することができるタイミング信号発生装置、電子機器および移動体を提供すること。【解決手段】タイミング信号発生装置は、内部信号を生成する発振器と、リファレンス信号が十分に得られていないときは、前記内部信号に基づいて基準信号を生成する制御部と、前記発振器のエージング補正データと、前記リファレンス信号が十分に得られているときの制御信号データとを記憶する記憶部と、前記制御信号データに前記エージング補正データを加算し、補正後データを算出し、前記補正後データに対して統計処理を行い、統計処理データを算出する演算部とを備え、前記制御部は、前記リファレンス信号が十分に得られていないときは、前記統計処理データに基づいて前記発振器を制御する。【選択図】図１
2017059971.tif 000002
【特許請求の範囲】
【請求項１】
内部信号を生成する発振器と、
少なくとも前記発振器を制御し、外部から入力されるリファレンス信号が十分に得られているときは、前記リファレンス信号および前記内部信号に基づいて基準信号を生成し、前記リファレンス信号が十分に得られていないときは、前記内部信号に基づいて前記基準信号を生成する制御部と、
前記発振器のエージング補正データと、前記リファレンス信号が十分に得られているときの、前記制御部の前記発振器を制御する制御信号データとを記憶する記憶部と、
前記制御信号データに前記エージング補正データを加算し、補正後データを算出し、前記補正後データに対して統計処理を行い、統計処理データを算出する演算部と、を備え、
前記制御部は、前記リファレンス信号が十分に得られていないときは、前記統計処理データに基づいて前記発振器を制御することを特徴とするタイミング信号発生装置。
【請求項２】
前記制御部は、温度一定の条件で前記発振器のエージング特性を検出し、前記エージング特性に基づいて前記エージング補正データを求める請求項１に記載のタイミング信号発生装置。
【請求項３】
前記制御部は、前記リファレンス信号が十分に得られているときの前記制御信号データに基づいて前記エージング補正データを求める請求項１に記載のタイミング信号発生装置。
【請求項４】
起動時から所定時間までの期間と前記所定時間経過後とを区分し、前記起動時から所定時間までの期間と前記所定時間経過後とで前記エージング補正データが異なる請求項１ないし３のいずれか１項に記載のタイミング信号発生装置。
【請求項５】
前記統計処理では、前記補正後データの平均値、最頻値および中央値のうちの少なくとも１つを前記統計処理データとする請求項１ないし４のいずれか１項に記載のタイミング信号発生装置。
【請求項６】
請求項１ないし５のいずれか１項に記載のタイミング信号発生装置を備えることを特徴とする電子機器。
【請求項７】
請求項１ないし５のいずれか１項に記載のタイミング信号発生装置を備えることを特徴とする移動体。
【発明の詳細な説明】
【技術分野】
【０００１】
本発明は、タイミング信号発生装置、電子機器および移動体に関するものである。
【背景技術】
【０００２】
人工衛星を利用した全地球航法衛星システム（ＧＮＳＳ：Global Navigation Satellite System）の１つであるＧＰＳ（Global Positioning System）が広く知られている。ＧＰＳに用いるＧＰＳ衛星は、極めて精度の高い原子時計が搭載されており、ＧＰＳ衛星の軌道情報や正確な時刻情報等が重畳された衛星信号を地上に送信している。ＧＰＳ衛星から送信された衛星信号は、ＧＰＳ受信機で受信される。そして、ＧＰＳ受信機は、衛星信号に重畳されている軌道情報や時刻情報に基づいてＧＰＳ受信機の現在位置や時刻情報を算出する処理や、協定世界時（ＵＴＣ:Ｃｏｏｒｄｉｎａｔｅｄ Ｕｎｉｖｅｒｓａｌ Ｔｉｍｅ）に同期した正確なタイミング信号（１ＰＰＳ）を生成する処理等を行う。
【０００３】
このようなＧＰＳ受信機は、測位計算に基づき、位置・時刻を提供する通常測位（位置推定）モードと、既知位置での固定位置測位による時刻提供をする位置固定モードが設けられているのが一般的である。
【０００４】
通常測位モードでは、所定数（２次元測位あれば最低３個、３次元測位であれば４個）以上のＧＰＳ衛星からの衛星信号が必要である。また、衛星信号を受信可能なＧＰＳ衛星の数が多いほど、測位計算の精度が向上する。
【０００５】
また、位置固定モードでは、ＧＰＳ受信機の位置情報が設定されていれば、少なくとも１つのＧＰＳ衛星からの衛星信号を受信できれば１ＰＰＳを生成することができる。
【０００６】
特許文献１には、航法衛星から発信された測位信号を受信し、その測位信号に基づいて１ＰＰＳを生成する基準信号発生装置が開示されている。
【０００７】
この基準信号発生装置では、測位信号に基づいて１ＰＰＳを生成している際に電圧制御発振器に入力された制御電圧信号のレベル（同期ＤＡＣ値）を継続的にメモリーに記憶し、その同期ＤＡＣ値から、最小二乗法により、同期ＤＡＣ値の時間遷移に関する推定曲線を算出する。そして、測位信号を正確に受信できない状況であるホールドオーバーが生じた場合は、前記推定曲線に基づいて自走用のＤＡＣ値を求め、その自走用のＤＡＣ値を電圧制御発振器に入力し、１ＰＰＳを生成する。
【先行技術文献】
【特許文献】
【０００８】
【特許文献１】特開２０１０−１３０１４６号公報
【発明の概要】
【発明が解決しようとする課題】
【０００９】
しかしながら、特許文献１に記載の装置では、ホールドオーバーが生じ、自走用のＤＡＣ値を用いて電圧制御発振器を制御する場合、前記自走用のＤＡＣ値は、例えば、マルチパス等によるＧＰＳ受信機１０が出力する１ＰＰＳのふらつきの影響を受けてしまい、精度の良い１ＰＰＳを生成することができない。
【００１０】
本発明の目的は、ホールドオーバーが生じた場合、マルチパス等による影響が低減された発振器の自走発振用の制御信号データを求めることができ、精度の良い基準信号を生成することができるタイミング信号発生装置、電子機器および移動体を提供することにある。
【課題を解決するための手段】
【００１１】
本発明は、上述の課題の少なくとも一部を解決するためになされたものであり、以下の形態または適用例として実現することが可能である。
【００１２】
本発明のタイミング信号発生装置は、内部信号を生成する発振器と、
少なくとも前記発振器を制御し、外部から入力されるリファレンス信号が十分に得られているときは、前記リファレンス信号および前記内部信号に基づいて基準信号を生成し、前記リファレンス信号が十分に得られていないときは、前記内部信号に基づいて前記基準信号を生成する制御部と、
前記発振器のエージング補正データと、前記リファレンス信号が十分に得られているときの、前記制御部の前記発振器を制御する制御信号データとを記憶する記憶部と、
前記制御信号データに前記エージング補正データを加算し、補正後データを算出し、前記補正後データに対して統計処理を行い、統計処理データを算出する演算部と、を備え、
前記制御部は、前記リファレンス信号が十分に得られていないときは、前記統計処理データに基づいて前記発振器を制御することを特徴とする。
【００１３】
これにより、ホールドオーバーが生じた場合に、マルチパス等による影響、発振器の周波数温度特性による影響、発振器のエージングによる影響等が低減された発振器の自走発振用の統計処理データを求めることができ、これによって、精度の良い基準信号を生成することができる。
【００１４】
本発明のタイミング信号発生装置では、前記制御部は、温度一定の条件で前記発振器のエージング特性を検出し、前記エージング特性に基づいて前記エージング補正データを求めることが好ましい。
【００１５】
これにより、予めエージング補正データを記憶しておくことができるので、タイミング信号発生装置の駆動の際、エージング補正データを求める必要がなく、演算量を低減することができる。
【００１６】
本発明のタイミング信号発生装置では、前記制御部は、前記リファレンス信号が十分に得られているときの前記制御信号データに基づいて前記エージング補正データを求めることが好ましい。
【００１７】
これにより、発振器のエージング特性が変化する場合にも対応することができ、より適切なエージング補正データを求めることができる。これによって、ホールドオーバーが生じた場合に、適切な発振器の自走発振用の統計処理データを求めることができる。
【００１８】
本発明のタイミング信号発生装置では、起動時から所定時間までの期間と前記所定時間経過後とを区分し、前記起動時から所定時間までの期間と前記所定時間経過後とで前記エージング補正データが異なることが好ましい。
【００１９】
起動時は、発振器の周波数変動が大きいので、前記起動時から所定時間までの期間と前記所定時間経過後とでエージング補正データが異なることにより、ホールドオーバーが生じた場合に、適切な発振器の自走発振用の統計処理データを求めることができる。
【００２０】
本発明のタイミング信号発生装置では、前記統計処理では、前記補正後データの平均値、最頻値および中央値のうちの少なくとも１つを前記統計処理データとすることが好ましい。
【００２１】
これにより、ホールドオーバーが生じた場合に、より適切な発振器の自走発振用の統計処理データを求めることができる。
【００２２】
本発明の電子機器は、本発明のタイミング信号発生装置を備えることを特徴とする。
これにより、ホールドオーバーが生じた場合に、マルチパス等による影響、発振器の周波数温度特性による影響、発振器のエージングによる影響等が低減された発振器の自走発振用の統計処理データを求めることができ、これによって、精度の良い基準信号を生成することができる。
【００２３】
本発明の移動体は、本発明のタイミング信号発生装置を備えることを特徴とする。
これにより、ホールドオーバーが生じた場合に、マルチパス等による影響、発振器の周波数温度特性による影響、発振器のエージングによる影響等が低減された発振器の自走発振用の統計処理データを求めることができ、これによって、精度の良い基準信号を生成することができる。
【図面の簡単な説明】
【００２４】
【図１】本発明のタイミング信号発生装置の第１実施形態の概略構成を示す図である。
【図２】ＧＰＳ衛星から送信される航法メッセージの構成を示す図である。
【図３】図１に示すタイミング信号発生装置が備えるＧＰＳ受信機の構成例を示すブロック図である。
【図４】図１に示すタイミング信号発生装置において、ホールドオーバー時の統計処理データの生成方法を説明するためのグラフである。
【図５】図１に示すタイミング信号発生装置において、ホールドオーバー時の統計処理データの生成方法を説明するためのグラフである。
【図６】図１に示すタイミング信号発生装置において、ホールドオーバー時の統計処理データの生成方法を説明するためのグラフである。
【図７】図１に示すタイミング信号発生装置において、ホールドオーバー時の統計処理データの生成方法を説明するためのグラフである。
【図８】本発明のタイミング信号発生装置の第２実施形態において、ホールドオーバー時の統計処理データの生成方法を説明するためのグラフである。
【図９】本発明のタイミング信号発生装置の第２実施形態において、ホールドオーバー時の統計処理データの生成方法を説明するためのグラフである。
【図１０】本発明のタイミング信号発生装置の第３実施形態において、ホールドオーバー時の統計処理データの生成方法を説明するためのグラフである。
【図１１】本発明の電子機器の実施形態を示すブロック図である。
【図１２】本発明の移動体の実施形態を示す図である。
【発明を実施するための形態】
【００２５】
以下、本発明のタイミング信号発生装置、電子機器および移動体について添付図面に示す実施形態に基づいて詳細に説明する。
【００２６】
１．タイミング信号発生装置
＜第１実施形態＞
図１は、本発明のタイミング信号発生装置の第１実施形態の概略構成を示す図である。図２は、ＧＰＳ衛星から送信される航法メッセージの構成を示す図である。図３は、図１に示すタイミング信号発生装置が備えるＧＰＳ受信機の構成例を示すブロック図である。  図４〜図７は、それぞれ、図１に示すタイミング信号発生装置において、ホールドオーバー時の統計処理データの生成方法を説明するためのグラフである。
【００２７】
図１に示すタイミング信号発生装置１は、衛星信号受信部としてのＧＰＳ受信機（受信機）１０と、記憶部３１、演算部３２および衛星信号受信制御装置としての処理部（ＣＰＵ）２０を有する制御部６０と、電圧制御発振器（ＶＣＯ）としての水晶発振器（発振器）３０と、温度センサー４０と、ＧＰＳアンテナ５０とを備えている。
【００２８】
なお、タイミング信号発生装置１は、構成要素の一部または全部が物理的に分離されていてもよいし、一体化されていてもよい。例えば、ＧＰＳ受信機１０と処理部２０はそれぞれ別個のＩＣで実現されていてもよいし、ＧＰＳ受信機１０と処理部２０は１チップのＩＣとして実現されていてもよい。他の部分も同様である。
【００２９】
このタイミング信号発生装置１は、ＧＰＳ衛星（航法衛星）２から送信された信号を受信し、高精度の１ＰＰＳを生成するものである。
【００３０】
ＧＰＳ衛星２は、地球の上空の所定の軌道上を周回しており、搬送波である１．５７５４２ＧＨｚの電波（Ｌ１波）に航法メッセージおよびＣ／Ａコード（Coarse/Acquisition Code）を重畳（搬送波を変調）させた衛星信号（ＧＰＳ信号）を地上に送信している。なお、前記衛星信号は、外部からタイミング信号発生装置１に入力されるリファレンス信号の一例である。
【００３１】
Ｃ／Ａコードは、現在約３０個存在するＧＰＳ衛星２の衛星信号を識別するためのものであり、各ｃｈｉｐが＋１または−１のいずれかである１０２３ｃｈｉｐ（１ｍｓ周期）からなる固有のパターンである。したがって、衛星信号と各Ｃ／Ａコードのパターンの相関をとることにより、衛星信号に重畳されているＣ／Ａコードを検出することができる。
【００３２】
各ＧＰＳ衛星２が送信する衛星信号（具体的には航法メッセージ）には、各ＧＰＳ衛星２の軌道上の位置を示す軌道情報が含まれている。また、各ＧＰＳ衛星２は原子時計を搭載しており、衛星信号には、原子時計で計時された極めて正確な時刻情報が含まれている。したがって、４つ以上のＧＰＳ衛星２からの衛星信号を受信し、各衛星信号に含まれている軌道情報および時刻情報を用いて測位計算を行うことで、受信点（ＧＰＳアンテナ５０の設置場所）の位置と時刻の正確な情報を得ることができる。具体的には、受信点の３次元位置（ｘ，ｙ，ｚ）および時刻ｔを４つの変数とする４次元方程式を立ててその解を求めればよい。
【００３３】
なお、受信点の位置が既知である場合、１つ以上のＧＰＳ衛星２からの衛星信号を受信し、各衛星信号に含まれている時刻情報を用いて受信点の時刻情報を得ることができる。
【００３４】
また、各衛星信号に含まれている軌道情報を用いて、各ＧＰＳ衛星２の時刻と受信点の時刻との差の情報を得ることができる。なお、地上のコントロールセグメントにより各ＧＰＳ衛星２に搭載されている原子時計のわずかな時刻誤差が測定されており、衛星信号にはその時刻誤差を補正するための時刻補正パラメーターも含まれており、この時刻補正パラメーターを用いて受信点の時刻を補正することで極めて正確な時刻情報を得ることができる。
【００３５】
図２の符号Ａに示すように、航法メッセージは、全ビット数１５００ビットのメインフレームを１単位とするデータとして構成されている。メインフレームは、それぞれ３００ビットの５つのサブフレーム１〜５に分割されている。１つのサブフレームのデータは、各ＧＰＳ衛星２から６秒で送信される。したがって、１つのメインフレームのデータは、各ＧＰＳ衛星２から３０秒で送信される。
【００３６】
サブフレーム１には、週番号データ（ＷＮ）等の衛星補正データが含まれている。週番号データは、ＧＰＳ衛星２の時刻が含まれる週を表す情報である。ＧＰＳ衛星２の時刻の起点は、ＵＴＣ（世界標準時）における１９８０年１月６日００：００：００であり、この日に始まる週は週番号０となっている。週番号データは、１週間単位で更新される。
【００３７】
サブフレーム２、３には、エフェメリスパラメータ（各ＧＰＳ衛星２の詳細な軌道情報）が含まれる。また、サブフレーム４、５には、アルマナックパラメータ（全ＧＰＳ衛星２の概略軌道情報）が含まれている。
【００３８】
さらに、サブフレーム１〜５の各先頭には、３０ビットのＴＬＭ（Telemetry word）データが格納されたＴＬＭ（Telemetry）ワードと、３０ビットのＨＯＷ（hand over word）データが格納されたＨＯＷワードとが含まれている。
【００３９】
したがって、ＴＬＭワードやＨＯＷワードは、ＧＰＳ衛星２から６秒間隔で送信されるのに対し、週番号データ等の衛星補正データ、エフェメリスパラメータ、アルマナックパラメータは３０秒間隔で送信される。
【００４０】
図２の符号Ｂに示すように、ＴＬＭワードには、プリアンブルデータ、ＴＬＭメッセージ、Reservedビット、パリティデータが含まれている。
【００４１】
図２の符号Ｃに示すように、ＨＯＷワードには、ＴＯＷ（Time of Week）（以下、「Ｚカウント」ともいう）という時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報であって、経過時間が１．５秒単位で表した数となっている。ここで、Ｚカウントデータは、次のサブフレームデータの先頭ビットが送信される時刻情報を示す。例えば、サブフレーム１のＺカウントデータは、サブフレーム２の先頭ビットが送信される時刻情報を示す。また、ＨＯＷワードには、サブフレームのＩＤを示す３ビットのデータ(ＩＤコード)も含まれている。すなわち、図２（Ａ）に示すサブフレーム１〜５のＨＯＷワードには、それぞれ「００１」、「０１０」、「０１１」、「１００」、「１０１」のＩＤコードが含まれている。
【００４２】
サブフレーム１に含まれる週番号データとサブフレーム１〜５に含まれるＨＯＷワード（Ｚカウントデータ）を取得することで、ＧＰＳ衛星２の時刻を計算することができる。なお、以前に週番号データを取得し、週番号データを取得した時期からの経過時間を内部でカウントしておけば、週番号データを毎回取得しなくてもＧＰＳ衛星２の現在の週番号データを得ることができる。したがって、Ｚカウントデータのみを取得すれば、ＧＰＳ衛星２の現在の時刻を概算で知ることができる。
【００４３】
以上説明したような衛星信号は、図１に示すＧＰＳアンテナ５０を介して、ＧＰＳ受信機１０で受信される。
【００４４】
ＧＰＳアンテナ５０は、衛星信号を含む各種の電波を受信するアンテナであり、ＧＰＳ受信機１０に接続されている。
【００４５】
ＧＰＳ受信機１０は、ＧＰＳアンテナ５０を介して受信した衛星信号に基づいて、各種の処理を行う。
【００４６】
具体的に説明すると、ＧＰＳ受信機１０は、通常測位モード（第１のモード）および位置固定モード（第２のモード）を有し、処理部（ＣＰＵ）２０からの制御コマンド（モード設定用の制御コマンド）に応じて通常測位モードと位置固定モードのいずれかに設定される。
【００４７】
ＧＰＳ受信機１０は、通常測位モードでは、「測位計算部」として機能し、複数（好ましくは４個以上）のＧＰＳ衛星２から送信された衛星信号を受信し、受信した衛星信号に含まれる軌道情報（具体的には、前述したエフェメリスデータやアルマナックデータ等）および時刻情報（具体的には、前述した週番号データやＺカウントデータ等）に基づいて測位計算を行う。また、ＧＰＳ受信機１０は、下記１ＰＰＳを生成する。
【００４８】
また、ＧＰＳ受信機１０は、位置固定モードでは、「タイミング信号生成部」として機能し、少なくとも１つのＧＰＳ衛星２から送信された衛星信号を受信し、受信した衛星信号に含まれる軌道情報および時刻情報と設定された受信点の位置情報とに基づいて、１ＰＰＳ（1 Pulse Per Second）を生成する。１ＰＰＳ（基準時刻に同期したタイミング信号の一例）は、ＵＴＣ（世界標準時）と完全同期したパルス信号であり、１秒毎に１パルスを出力する。このように、ＧＰＳ受信機１０がタイミング信号の生成に用いる衛星信号が軌道情報および時刻情報を含んでいることにより、基準時刻に正確に同期したタイミング信号を生成することができる。
【００４９】
以下、ＧＰＳ受信機１０の構成について詳述する。
図３に示すＧＰＳ受信機１０は、ＳＡＷ（Surface Acoustic Wave：表面弾性波）フィルター１１、ＲＦ処理部１２、ベースバンド処理部１３および温度補償型水晶発振器（ＴＣＸＯ：Temperature Compensated Crystal Oscillator）１４を有している。
【００５０】
ＳＡＷフィルター１１は、ＧＰＳアンテナ５０が受信した電波から衛星信号を抽出する処理を行う。このＳＡＷフィルター１１は、１．５ＧＨｚ帯の信号を通過させるバンドパスフィルターとして構成される。
【００５１】
ＲＦ処理部１２は、ＰＬＬ（Phase Locked Loop）１２１、ＬＮＡ（Low Noise Amplifier）１２２、ミキサー１２３、ＩＦアンプ１２４、ＩＦ（Intermediate Frequency：中間周波数）フィルター１２５およびＡＤＣ（Ａ／Ｄ変換器）１２６を有している。
【００５２】
ＰＬＬ１２１は、数十ＭＨｚ程度で発振するＴＣＸＯ１４の発振信号を１．５ＧＨｚ帯の周波数に逓倍したクロック信号を生成する。
【００５３】
ＳＡＷフィルター１１が抽出した衛星信号は、ＬＮＡ１２２で増幅される。ＬＮＡ１２２で増幅された衛星信号は、ミキサー１２３でＰＬＬ１２１が出力するクロック信号とミキシングされて中間周波数帯（例えば、数ＭＨｚ）の信号（ＩＦ信号）にダウンコンバートされる。ミキサー１２３でミキシングされた信号は、ＩＦアンプ１２４で増幅される。
【００５４】
ミキサー１２３でのミキシングにより、ＩＦ信号とともにＧＨｚオーダーの高周波信号も生成されるため、ＩＦアンプ１２４はＩＦ信号とともにこの高周波信号も増幅する。ＩＦフィルター１２５は、ＩＦ信号を通過させるとともに、この高周波信号を除去する（正確には、所定のレベル以下に減衰させる）。ＩＦフィルター１２５を通過したＩＦ信号はＡＤＣ（Ａ／Ｄ変換器）１２６でデジタル信号に変換される。
【００５５】
ベースバンド処理部１３は、ＤＳＰ（Digital Signal Processor）１３１、ＣＰＵ（Central Processing Unit）１３２、ＳＲＡＭ（Static Random Access Memory）１３３およびＲＴＣ（リアルタイムクロック）１３４を有しており、ＴＣＸＯ１４の発振信号をクロック信号として各種処理を行う。
【００５６】
ＤＳＰ１３１とＣＰＵ１３２は、協働しながら、ＩＦ信号からベースバンド信号を復調し、航法メッセージに含まれる軌道情報や時刻情報を取得し、通常測位モードの処理あるいは位置固定モードの処理を行う。
【００５７】
ＳＲＡＭ１３３は、取得された時刻情報や軌道情報、所定の制御コマンド（位置設定用の制御コマンド）に応じて設定された受信点の位置情報、位置固定モード等で用いる仰角マスク等を記憶するためのものである。ＲＴＣ１３４は、ベースバンド処理を行うためのタイミングを生成するものである。このＲＴＣ１３４は、ＴＣＸＯ１４からのクロック信号でカウントアップされる。
【００５８】
具体的には、ベースバンド処理部１３は、各Ｃ／Ａコードと同一のパターンのローカルコードを発生し、ベースバンド信号に含まれる各Ｃ／Ａコードとローカルコードの相関をとる処理（衛星サーチ）を行う。そして、ベースバンド処理部１３は、各ローカルコードに対する相関値がピークになるようにローカルコードの発生タイミングを調整し、相関値が閾値以上となる場合にはそのローカルコードをＣ／ＡコードとするＧＰＳ衛星２に同期（ＧＰＳ衛星２を捕捉）したものと判断する。なお、ＧＰＳでは、すべてのＧＰＳ衛星２が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２を検索することができる。
【００５９】
また、ベースバンド処理部１３は、捕捉したＧＰＳ衛星２の軌道情報や時刻情報を取得するために、当該ＧＰＳ衛星２のＣ／Ａコードと同一のパターンのローカルコードとベースバンド信号をミキシングする処理を行う。ミキシングされた信号には、捕捉したＧＰＳ衛星２の軌道情報や時刻情報を含む航法メッセージが復調される。そして、ベースバンド処理部１３は、航法メッセージに含まれる軌道情報や時刻情報を取得し、ＳＲＡＭ１３３に記憶する処理を行う。
【００６０】
また、ベースバンド処理部１３は、所定の制御コマンド（具体的にはモード設定用の制御コマンド）を受信し、通常測位モードと位置固定モードのいずれかに設定される。ベースバンド処理部１３は、通常測位モードでは、ＳＲＡＭ１３３に記憶されている４つ以上のＧＰＳ衛星２の軌道情報および時刻情報を用いて測位計算を行う。
【００６１】
また、ベースバンド処理部１３は、位置固定モードでは、ＳＲＡＭ１３３に記憶されている１つ以上のＧＰＳ衛星２の軌道情報と、ＳＲＡＭ１３３に記憶されている受信点の位置情報とを用いて高精度の１ＰＰＳを出力する。具体的には、ベースバンド処理部１３は、ＲＴＣ１３４の一部に１ＰＰＳの各パルスの発生タイミングをカウントする１ＰＰＳカウンターを備えており、ＧＰＳ衛星２の軌道情報と受信点の位置情報とを用いて、ＧＰＳ衛星２から送信された衛星信号が受信点まで到達するのに要する伝搬遅延時間を計算し、この伝搬遅延時間に基づき１ＰＰＳカウンターの設定値を最適値に変更する。
【００６２】
また、ベースバンド処理部１３は、通常測位モードにおいては、測位計算で得られた受信点の時刻情報に基づき１ＰＰＳを出力する。
【００６３】
なお、位置固定モードにおいて、複数のＧＰＳ衛星２が捕捉できれば測位計算を行ってもよい。
【００６４】
また、ベースバンド処理部１３は、測位計算の結果の位置情報や時刻情報、受信状況（ＧＰＳ衛星２の捕捉数、衛星信号の強度等）等の各種情報を含むＮＭＥＡデータを出力する。
【００６５】
以上説明したように構成されたＧＰＳ受信機１０の動作は、図１に示す処理部（ＣＰＵ）２０により制御される。
【００６６】
処理部２０は、ＧＰＳ受信機１０に対して各種の制御コマンドを送信してＧＰＳ受信機１０の動作を制御し、ＧＰＳ受信機１０が出力する１ＰＰＳやＮＭＥＡデータを受け取って各種の処理を行う。なお、処理部２０は、例えば、任意のメモリーに記憶されているプログラムにしたがって、各種処理を行ってもよい。
【００６７】
この処理部２０は、位相比較器２１、ループフィルター２２、ＤＳＰ（Digital Signal Processor）２３、分周器２４およびＧＰＳ制御部（受信制御部）２５を有している。なお、ＤＳＰ２３とＧＰＳ制御部２５とは一つの部品で構成されていてもよい。
【００６８】
ＤＳＰ２３は、ＧＰＳ受信機１０から定期的に（例えば、１秒毎に）ＮＭＥＡデータを取得し、ＮＭＥＡデータに含まれる位置情報（ＧＰＳ受信機１０による通常測位モードでの測位計算の結果）を集めて所定時間における統計情報を作成し、その統計情報に基づいて、受信点の位置情報を生成する処理を行う。特に、ＧＰＳ受信機１０による通常測位モードでの複数の測位計算結果の代表値（例えば、平均値、最頻値または中央値）に基づいて、受信点の位置情報を生成する。
【００６９】
ＧＰＳ制御部２５は、ＧＰＳ受信機１０に各種の制御コマンドを送信し、ＧＰＳ受信機１０の動作を制御する。具体的には、ＧＰＳ制御部２５は、ＧＰＳ受信機１０にモード設定用の制御コマンドを送信し、ＧＰＳ受信機１０を通常測位モードから位置固定モードに切り替える処理を行う。また、ＧＰＳ制御部２５は、ＧＰＳ受信機１０を通常測位モードから位置固定モードに切り替える前に、ＧＰＳ受信機１０に位置設定用の制御コマンドを送信し、ＤＳＰ２３が生成した受信点の位置情報をＧＰＳ受信機１０に設定する処理を行う。
【００７０】
分周器２４は、水晶発振器３０が出力（生成）する内部信号であるクロック信号（周波数：ｆ）をｆ分周し、１Ｈｚの分周クロック信号を出力する。
【００７１】
ＧＰＳ受信機１０が衛星信号を正確に受信できる状況（リファレンス信号が十分に得られている状況）では、位相比較器２１は、ＧＰＳ受信機１０が出力する１ＰＰＳと分周器２４が出力する１Ｈｚの分周クロック信号とを位相比較する。位相比較器２１の比較結果の位相差信号は、ループフィルター２２に入力され、ループフィルター２２では、位相差信号に基づいて、水晶発振器３０の制御電圧信号（制御電圧）（制御信号データ）を生成し、その制御電圧信号を水晶発振器３０に向けて出力する。ループフィルター２２のパラメーターは、ＤＳＰ２３により設定される。
【００７２】
尚、リファレンス信号が十分に得られている状況とは、例えば、ＧＰＳ受信機１０がリファレンス信号の信頼性を判断し、信頼できる時のみ１ＰＰＳを出力する状況であり、もしくはＧＰＳ受信機１０が１ＰＰＳを出力し、かつ、ＤＳＰ２３が受信したＧＰＳの情報を元にして演算部３２がリファレンス信号が正確に受信できていると判定している状況を意味する。
【００７３】
分周器２４が出力する１Ｈｚの分周クロック信号は、ＧＰＳ受信機１０が出力する１ＰＰＳと同期しており、タイミング信号発生装置１は、この分周クロック信号をＵＴＣと同期した極めて周波数精度の高い１ＰＰＳ（基準信号）として外部に出力する。
【００７４】
すなわち、水晶発振器３０は、ループフィルター２２の出力電圧である制御電圧信号により周波数を調整可能に構成されており、前述のように、位相比較器２１、ループフィルター２２、ＤＳＰ２３および分周器２４により、水晶発振器３０が出力するクロック信号はＧＰＳ受信機１０が出力する１ＰＰＳに完全に同期する。なお、位相比較器２１、ループフィルター２２、ＤＳＰ２３および分周器２４による構成は、水晶発振器３０が出力するクロック信号を１ＰＰＳに同期させる「同期制御部」として機能する。
【００７５】
水晶発振器３０としては、特に限定されず、例えば、恒温槽型水晶発振器（ＯＣＸＯ）、温度補償型水晶発振器（ＴＣＸＯ）等が挙げられる。また、本実施形態では、発振器として、水晶発振器３０を用いているが、これに限定されず、発振器として、例えば、原子発振器等を用いてもよい。
【００７６】
また、例えば、ＧＰＳ受信機１０が衛星信号を受信できない場合、ＧＰＳ受信機１０の衛星信号の受信状態が許容できる状態よりも低下した場合等の衛星信号を正確に受信できない状況（リファレンス信号が十分に得られていない状況）になると、制御部６０の制御により、処理部２０は、水晶発振器３０が出力するクロック信号をＧＰＳ受信機１０が出力する１ＰＰＳに同期させる処理を停止する。そして、制御部６０は、水晶発振器３０の自走発振用の制御電圧信号（制御電圧）（統計処理データ）を生成し、その制御電圧信号を水晶発振器３０に向けて出力する。この制御電圧信号により、水晶発振器３０の周波数は調整される。このようにして、タイミング信号発生装置１は、水晶発振器３０を自走発振させて１ＰＰＳ（基準信号）を外部に出力する。これにより、タイミング信号発生装置１は、ＧＰＳ受信機１０が出力する１ＰＰＳの精度が劣化した場合やＧＰＳ受信機１０が１ＰＰＳを出力できない場合でも、水晶発振器３０の自走発振による周波数精度の高い１ＰＰＳを出力することができる。この状態をホールドオーバーと呼ぶ。
【００７７】
なお、以下では、ホールドオーバーが生じておらず、ＧＰＳ受信機１０が衛星信号を正確に受信できており、かつ、水晶発振器３０が出力するクロック信号とＧＰＳ受信機１０が出力する１ＰＰＳが同期している状態をＧＰＳロック状態とも言う。
【００７８】
また、タイミング信号発生装置１は、１ＰＰＳと同期して１秒毎に最新のＮＭＥＡデータを外部に出力し、また、水晶発振器３０が出力する周波数がｆのクロック信号も外部に出力する。
【００７９】
また、水晶発振器３０の近傍には温度センサー４０が配置されており、ＤＳＰ２３は、温度センサー４０の検出値（検出温度）に応じて発振器の制御電圧信号を調整することで、水晶発振器３０の周波数温度特性を温度補償（温度補正）する処理も行う。
【００８０】
図１に示すように、制御部６０は、前述した処理部２０の他、記憶部３１および演算部３２を有しており、例えば、水晶発振器３０等の各部を制御する。記憶部３１には、例えば、後述する水晶発振器３０のエージング補正データ、補正後データ、統計処理データ、ＧＰＳロック状態（リファレンス信号が十分に得られている状態）での水晶発振器３０を制御する制御信号データ等の各情報（データ）等が記憶される。なお、本実施形態では、記憶部３１および演算部３２は、それぞれ、制御部６０の一部として構成されているが、これに限らず、記憶部３１および演算部３２のいずれか一方または両方が、制御部６０とは別の部材で構成されていてもよい。
【００８１】
このタイミング信号発生装置１では、ホールドオーバーが生じた場合、前述したように、水晶発振器３０が出力するクロック信号をＧＰＳ受信機１０が出力する１ＰＰＳに同期させる処理を停止し、水晶発振器３０の自走発振用の制御電圧信号を生成し、その制御電圧信号により水晶発振器３０の周波数を調整して水晶発振器３０を自走発振させる。
【００８２】
以下、図４〜図７に基づいて、水晶発振器３０の自走発振用の制御電圧信号の生成方法について説明する。
【００８３】
図４は、水晶発振器３０に一定の電圧を印加して水晶発振器３０の周波数を測定した場合の周波数の経時変化、すなわち、発振器のエージング特性を示すグラフである。グラフの横軸は、時間であり、縦軸は、時間が０のときの周波数からの周波数の偏差である。また、グラフの実線は、測定データ（測定値）であり、破線は、その測定データの近似式である。なお、本実施形態では、前記近似式は、時間を変数とする１次関数で表されている。
【００８４】
図５は、図４に示すグラフの周波数の偏差を水晶発振器３０の制御電圧信号の偏差に換算したグラフである。すなわち、図５のグラフは、図４のグラフにおいて、周波数を一定（周波数の偏差を０）にするための制御電圧信号の偏差を示している。また、グラフの実線は、周波数の測定データを換算した換算データ（換算値）であり、破線は、その換算データの近似式であり、これは、水晶発振器３０のエージング特性を示すエージング特性データである。なお、本実施形態では、前記近似式、すなわち、水晶発振器３０のエージング特性データは、時間を変数とする１次関数で表されている。
【００８５】
図６は、ＧＰＳロック状態で水晶発振器３０を制御する制御信号データと、水晶発振器３０のエージング特性を示すエージング特性データ（近似式）と、水晶発振器３０のエージング補正データ（エージング補正量）とを示すグラフである。
【００８６】
図７は、補正後データを示すグラフである。
まず、タイミング信号発生装置１を実際に起動させる前（事前に）、水晶発振器３０のエージング特性を検出し（求め）、そのエージング特性を示すエージング特性データを記憶部３１に記憶し、そのエージング特性データに基づいてエージング補正データを求め、そのエージング補正データを記憶部３１に記憶する。この一例を以下説明する。なお、水晶発振器３０は、タイミング信号発生装置１に組み込まれた状態でもよく、また、組み込まれていない状態でもよい。
【００８７】
まず、温度一定の条件で、水晶発振器３０に制御電圧信号として一定の電圧を印加し、水晶発振器３０を発振させ、その水晶発振器３０の周波数を測定する。測定された周波数の時間が０のときからの偏差は、図４に示す通りである。また、周波数の偏差の近似式は、演算部３２により、例えば、単位時間毎に周波数の平均値を求め、隣り合う２つの平均値の差に基づいて求めることができる。なお、この他の方法で近似式を求めてもよい。
【００８８】
また、前記水晶発振器３０の周波数を測定する期間は、特に限定されず、諸条件に応じて適宜設定されるものであるが、１時間以上、２４時間以下であることが好ましく、２時間以上、２４時間以下であることがより好ましい。前記期間が前記下限値よりも短いと、他の条件によっては、傾向がつかめない虞があり、また、前記期間が前記上限値よりも長いと、演算量と記憶部３１の使用容量が大きくなり、消費電力が増大する。
【００８９】
次に、図５に示すように、演算部３２により、前記水晶発振器３０の周波数の偏差を水晶発振器３０の制御電圧信号の偏差に換算する。この換算では、水晶発振器３０の周波数が一定となるような制御電圧信号の偏差を求める。この制御電圧信号の偏差の近似式で示されるデータが、水晶発振器３０の経時劣化に相当する情報を含むデータ、すなわち、水晶発振器３０のエージング特性データである。
【００９０】
次に、図６に示すように、演算部３２により、エージング特性データに基づいて、エージング補正データを求め、そのエージング補正データを記憶部３１に記憶する。このエージング補正データは、水晶発振器３０の経時劣化（エージング）による周波数の低下（変動）を打ち消す（補う）データである。エージング補正データとしては、例えば、直線７１に対して線対照なもの、すなわち、エージング特性データのグラフの勾配の符号を「マイナス」に変更したもの等が挙げられる。この場合、エージング補正データとしては、グラフの勾配のデータが含まれていれば十分である。以上で、事前の準備が完了する。
【００９１】
次に、タイミング信号発生装置１は、起動後、ＧＰＳロック状態のときに、水晶発振器３０の制御電圧信号を示す制御信号データを記憶部３１に記憶する（図６参照）。
【００９２】
次に、図６に示すように、例えば、起動してからの経過時間が１６時間のときに、ホールドオーバーが生じた場合、図７に示すように、演算部３２により、制御信号データにエージング補正データを加算し、補正後データを算出し、その補正後データを記憶部３１に記憶する。
【００９３】
次に、演算部３２により、補正後データに対して統計処理を行い、統計処理データを算出し、その統計処理データを記憶部３１に記憶する。この統計処理データは、水晶発振器３０の自走発振用の制御電圧信号を示している。
【００９４】
統計処理としては、特に限定されず、例えば、補正後データの平均値を求める処理、補正後データの最頻値を求める処理、補正後データの中央値を求める処理等が挙げられ、これらのうちでは、最頻値を求める処理または中央値を求める処理が好ましく、中央値を求める処理がより好ましい。統計処理では、例えば、補正後データの平均値、最頻値および中央値のうちの少なくとも１つを統計処理データとし、記憶部３１に記憶する。統計処理データとしては、前述したように、最頻値または中央値が好ましく、中央値がより好ましい。これにより、ホールドオーバーが生じた場合に、特に、マルチパス等によるＧＰＳ受信機１０が出力する１ＰＰＳのふらつきの影響がより低減された自走発振用の制御電圧信号（統計処理データ）を求めることができる。
【００９５】
また、前記統計処理を行う期間は、特に限定されず、諸条件に応じて適宜設定されるものであるが、１時間以上、２４時間以下であることが好ましく、２時間以上、２４時間以下であることがより好ましい。前記期間が前記下限値よりも短いと、他の条件によっては、適切な統計処理データが得られない虞がある。また、ＧＰＳ衛星は、２４時間で地球の周りを１周するので、前記期間は、前記上限値で十分であり、また、前記期間が前記上限値よりも長いと、演算量と記憶部３１の使用容量が大きくなり、消費電力が増大する。
【００９６】
以上説明したように、このタイミング信号発生装置１では、ホールドオーバーが生じた場合に、マルチパス等によるＧＰＳ受信機１０が出力する１ＰＰＳのふらつきの影響、水晶発振器３０の周波数温度特性による影響、水晶発振器３０のエージングによる影響等が低減された自走発振用の制御電圧信号（統計処理データ）を求めることができる。これによって、精度の良い１ＰＰＳを生成することができる。
【００９７】
また、予め記憶部３１にエージング補正データを記憶しておくので、タイミング信号発生装置１の駆動中に、エージング補正データを求める必要がなく、演算量を低減することができる。
【００９８】
＜第２実施形態＞
図８および図９は、それぞれ、本発明のタイミング信号発生装置の第２実施形態において、ホールドオーバー時の統計処理データの生成方法を説明するためのグラフである。
【００９９】
以下、第２実施形態について、前述した第１実施形態との相違点を中心に説明し、同様の事項については、その説明を省略する。
【０１００】
第２実施形態のタイミング信号発生装置１では、ＧＰＳロック状態で、制御信号データに基づいてエージング補正データを求める。
【０１０１】
以下、図８および図９に基づいて、水晶発振器３０の自走発振用の制御電圧信号の生成方法のうち、エージング補正データを求める方法について説明する。
【０１０２】
図８は、ＧＰＳロック状態で水晶発振器３０を制御する制御信号データと、水晶発振器３０のエージング特性を示すエージング特性データ（近似式）とを示すグラフである。なお、本実施形態では、エージング特性データのグラフは、時間を変数とする１次関数で表されている。また、図９は、補正後データを示すグラフである。
【０１０３】
まず、図８に示すように、ＧＰＳロック状態のときに、水晶発振器３０の制御電圧信号を示す制御信号データを記憶部３１に記憶する。
【０１０４】
この制御信号データを収集（記憶）する期間は、特に限定されず、諸条件に応じて適宜設定されるものであるが、１時間以上、２４時間以下であることが好ましく、２時間以上、２４時間以下であることがより好ましい。前記期間が前記下限値よりも短いと、他の条件によっては、傾向がつかめない虞があり、また、前記期間が前記上限値よりも長いと、演算量と記憶部３１の使用容量が大きくなり、消費電力が増大する。
【０１０５】
次に、演算部３２により、制御信号データに基づいて、水晶発振器３０のエージング特性を示すエージング特性データを求め、そのエージング特性データを記憶部３１に記憶する。このエージング特性データは、例えば、単位時間毎に制御信号データの平均値を求め、隣り合う２つの平均値の差に基づいて求めることができる。なお、この他の方法でエージング特性データを求めてもよい。
【０１０６】
次に、前述した第１実施形態と同様にして、演算部３２により、エージング特性データに基づいて、エージング補正データを求め、そのエージング補正データを記憶部３１に記憶する。
【０１０７】
次に、ホールドオーバーが生じた場合、図９に示すように、前述した第１実施形態と同様にして、演算部３２により、制御信号データにエージング補正データを加算し、補正後データを算出し、その補正後データを記憶部３１に記憶する。以降の動作は、前述した第１実施形態と同様であるので、説明は省略する。
【０１０８】
このタイミング信号発生装置１によれば、前述した第１実施形態と同様の効果が得られる。
【０１０９】
また、このタイミング信号発生装置１では、水晶発振器３０のエージング特性が変化する場合にも対応することができ、より適切なエージング補正データを求めることができる。これによって、ホールドオーバーが生じた場合に、より適切な自走発振用の制御電圧信号を求めることができる。
【０１１０】
＜第３実施形態＞
図１０は、本発明のタイミング信号発生装置の第３実施形態において、ホールドオーバー時の統計処理データの生成方法を説明するためのグラフである。
【０１１１】
より詳細には、図１０は、ＧＰＳロック状態で水晶発振器３０を制御する制御信号データと、タイミング信号発生装置１の起動時から所定時間までの期間における水晶発振器３０のエージング特性を示すエージング特性データ（近似式）と、所定時間経過後における水晶発振器３０のエージング特性を示すエージング特性データ（近似式）とを示すグラフである。なお、本実施形態では、各エージング特性データのグラフは、それぞれ、時間を変数とする１次関数で表されている。
【０１１２】
以下、第３実施形態について、前述した第１、第２実施形態との相違点を中心に説明し、同様の事項については、その説明を省略する。
【０１１３】
図１０に示すように、第３実施形態のタイミング信号発生装置１では、タイミング信号発生装置１の起動時から所定時間までの期間（起動初期の期間）と所定時間経過後（安定期間）とを区分し、起動時から所定時間までの期間と所定時間経過後とでエージング補正データが異なっている。
【０１１４】
このタイミング信号発生装置１によれば、前述した第１実施形態と同様の効果が得られる。
【０１１５】
また、起動時から所定時間までの期間では、水晶発振器３０の周波数変動が大きく、所定時間経過後は、前記期間よりも水晶発振器３０の周波数変動が低下するので、このタイミング信号発生装置１では、その両期間を区分することで、より適切なエージング補正データを求めることができ、これによって、より適切な自走発振用の制御電圧信号を求めることができる。
なお、第３実施形態は、第１実施形態および第２実施形態に適用することができる。
【０１１６】
＜第４実施形態＞
以下、第４実施形態について、前述した第３実施形態との相違点を中心に説明し、同様の事項については、その説明を省略する。
【０１１７】
第４実施形態のタイミング信号発生装置１では、エージング特性データの勾配の閾値を設定し、エージング特性データの勾配が閾値以上の場合と閾値未満の場合とを区分し、その閾値以上の場合と閾値未満の場合とでエージング補正データが異なっている。
【０１１８】
なお、第３実施形態に対応させると、エージング特性データの勾配が閾値以上の場合は、第３実施形態における起動時から所定時間までの期間に対応し、エージング特性データの勾配が閾値未満の場合は、第３実施形態における所定時間経過後に対応する。
【０１１９】
このタイミング信号発生装置１によれば、前述した第３実施形態と同様の効果が得られる。
なお、第４実施形態は、第１実施形態および第２実施形態に適用することができる。
【０１２０】
２．電子機器
次に、本発明の電子機器の実施形態を説明する。
【０１２１】
図１１は、本発明の電子機器の実施形態を示すブロック図である。
図１１に示す電子機器３００は、タイミング信号発生装置３１０、ＣＰＵ（Central Processing Unit）３２０、操作部３３０、ＲＯＭ（Read Only Memory）３４０、ＲＡＭ（Random Access Memory）３５０、通信部３６０および表示部３７０を備えている。
【０１２２】
タイミング信号発生装置３１０は、例えば、上述の各実施形態のタイミング信号発生装置１のいずれかであり、先に説明したように、衛星信号を受信して高精度のタイミング信号（１ＰＰＳ）を生成し、外部に出力する。これにより、より低コストで信頼性の高い電子機器３００を実現することができる。
【０１２３】
ＣＰＵ３２０は、ＲＯＭ３４０等に記憶されているプログラムに従い、各種の計算処理や制御処理を行う。具体的には、ＣＰＵ３２０は、タイミング信号発生装置３１０が出力するタイミング信号（１ＰＰＳ）やクロック信号に同期して、計時処理、操作部３３０からの操作信号に応じた各種の処理、外部とデータ通信を行うために通信部３６０を制御する処理、表示部３７０に各種の情報を表示させるための表示信号を送信する処理等を行う。
【０１２４】
操作部３３０は、操作キーやボタンスイッチ等により構成される入力装置であり、ユーザーによる操作に応じた操作信号をＣＰＵ３２０に出力する。
【０１２５】
ＲＯＭ３４０は、ＣＰＵ３２０が各種の計算処理や制御処理を行うためのプログラムやデータ等を記憶している。
【０１２６】
ＲＡＭ３５０は、ＣＰＵ３２０の作業領域として用いられ、ＲＯＭ３４０から読み出されたプログラムやデータ、操作部３３０から入力されたデータ、ＣＰＵ３２０が各種プログラムにしたがって実行した演算結果等を一時的に記憶する。
【０１２７】
通信部３６０は、ＣＰＵ３２０と外部装置との間のデータ通信を成立させるための各種制御を行う。
【０１２８】
表示部３７０は、ＬＣＤ（Liquid Crystal Display）等により構成される表示装置であり、ＣＰＵ３２０から入力される表示信号に基づいて各種の情報を表示する。表示部３７０には操作部３３０として機能するタッチパネルが設けられていてもよい。
【０１２９】
このような電子機器３００としては種々の電子機器が考えられ、特に限定されないが、例えば、標準時刻との同期を実現する時刻管理用のサーバー（タイムサーバー）、タイムスタンプの発行等を行う時刻管理装置（タイムスタンプサーバー）、基地局等の周波数基準装置等が挙げられる。
【０１３０】
３．移動体
図１２は、本発明の移動体の実施形態を示す図である。
【０１３１】
図１２に示す移動体４００は、タイミング信号発生装置４１０、カーナビゲーション装置４２０、コントローラー４３０、４４０、４５０、バッテリー４６０、バックアップ用バッテリー４７０を含んで構成されている。
【０１３２】
タイミング信号発生装置４１０としては、例えば、上述の各実施形態のタイミング信号発生装置１を適用することができる。タイミング信号発生装置４１０は、例えば、移動体４００が移動中は、通常測位モードでリアルタイムに測位計算を行って１ＰＰＳ、クロック信号およびＮＭＥＡデータを出力する。また、タイミング信号発生装置４１０は、例えば、移動体４００が停止中は、通常測位モードで複数回の測位計算を行った後、複数回の測位計算結果の最頻値または中央値を現在の位置情報として設定し、位置固定モードで１ＰＰＳ、クロック信号およびＮＭＥＡデータを出力する。
【０１３３】
カーナビゲーション装置４２０は、タイミング信号発生装置４１０が出力する１ＰＰＳやクロック信号に同期して、タイミング信号発生装置４１０が出力するＮＭＥＡデータを用いて、位置や時刻その他の各種の情報をディスプレイに表示する。
【０１３４】
コントローラー４３０、４４０、４５０は、エンジンシステム、ブレーキシステム、キーレスエントリーシステム等の各種の制御を行う。コントローラー４３０、４４０、４５０は、タイミング信号発生装置４１０が出力するクロック信号に同期して各種の制御を行うようにしてもよい。
【０１３５】
本実施形態の移動体４００は、タイミング信号発生装置４１０を備えていることで、移動中も停止中も高い信頼性を確保することができる。
【０１３６】
このような移動体４００としては種々の移動体が考えられ、例えば、自動車（電気自動車も含む）、ジェット機やヘリコプター等の航空機、船舶、ロケット、人工衛星等が挙げられる。
【０１３７】
以上、本発明のタイミング信号発生装置、電子機器および移動体を、図示の実施形態に基づいて説明したが、本発明はこれに限定されるものではなく、各部の構成は、同様の機能を有する任意の構成のものに置換することができる。また、他の任意の構成物が付加されていてもよい。
【０１３８】
また、本発明は、前記各実施形態のうちの、任意の２以上の構成（特徴）を組み合わせたものであってもよい。
【０１３９】
また、前記実施形態では、ＧＰＳを利用したタイミング信号発生装置を例に挙げたが、本発明では、ＧＰＳに限らず、ＧＰＳ以外の全地球的航法衛星システム（ＧＮＳＳ）、例えば、ガリレオ、ＧＬＯＮＡＳＳ等を利用してもよい。
【符号の説明】
【０１４０】
１…タイミング信号発生装置、２…ＧＰＳ衛星、１０…ＧＰＳ受信機、１１…ＳＡＷフィルター、１２…ＲＦ処理部、１３…ベースバンド処理部、１４…ＴＣＸＯ、２０…処理部、２１…位相比較器、２２…ループフィルター、２３…ＤＳＰ、２４…分周器、２５…ＧＰＳ制御部、３０…水晶発振器、３１…記憶部、３２…演算部、４０…温度センサー、５０…ＧＰＳアンテナ、６０…制御部、７１…直線、１２１…ＰＬＬ、１２２…ＬＮＡ、１２３…ミキサー、１２４…ＩＦアンプ、１２５…ＩＦフィルター、１２６…ＡＤＣ、１３１…ＤＳＰ、１３２…ＣＰＵ、１３３…ＳＲＡＭ、１３４…ＲＴＣ、３００…電子機器、３１０…タイミング信号発生装置、３２０…ＣＰＵ、３３０…操作部、３４０…ＲＯＭ、３５０…ＲＡＭ、３６０…通信部、３７０…表示部、４００…移動体、４１０…タイミング信号発生装置、４２０…カーナビゲーション装置、４３０…コントローラー、４４０…コントローラー、４５０…コントローラー、４６０…バッテリー、４７０…バックアップ用バッテリー
【図１】
2017059971.tif 000003
【図２】
2017059971.tif 000004
【図３】
2017059971.tif 000005
【図４】
2017059971.tif 000006
【図５】
2017059971.tif 000007
【図６】
2017059971.tif 000008
【図７】
2017059971.tif 000009
【図８】
2017059971.tif 000010
【図９】
2017059971.tif 000011
【図１０】
2017059971.tif 000012
【図１１】
2017059971.tif 000013
【図１２】
2017059971.tif 000014